(57)【要約】      （修正有）【課題】シロキクラゲ栽培瓶を提供する。【解決手段】シロキクラゲ栽培瓶は、瓶本体１０と、キャップ本体２０と、密封キャップ３０とを備え、内部に収容空間を包囲する瓶体である。その上端に瓶頚部１１を有し、該瓶頚部の上端に瓶開口１２を有し、該キャップ本体は、該瓶頚部に対応して嵌合するようにし、かつ該キャップ本体の中央部には茸露出孔２１を設ける。該密封キャップ３０は、該茸露出孔に対応する外形を有すると共に、該茸露出孔を選択的に封孔する。かつ該密封キャップは、上に複数の内通気孔が設けられた内頂壁と、上に少なくとも１つの外通気孔３２１が貫通形成された外頂壁３２と、を有する。しかも該内頂壁と該外頂壁３２との間に中間層空間が形成され、また、該中間層空間内には通気性を有すると同時に空気中の雑質をろ過するためのフィルター３３が配置されている。【選択図】図２
0003177619.tif 000002
【実用新案登録請求の範囲】
【請求項１】
瓶本体と、キャップ本体と、密封キャップとを備えるシロキクラゲ栽培瓶であって、
前記瓶本体は、内部に収容空間を包囲する瓶体であり、その上端に瓶頚部を有し、前記瓶頚部の上端に瓶開口を有し、
前記キャップ本体は、前記瓶頚部に対応して嵌合するようにし、かつ前記キャップ本体の中央部には茸露出孔が設けられ、
前記密封キャップは、前記茸露出孔に対応する外形を有すると共に、前記茸露出孔を選択的に封孔し、かつ前記密封キャップは、上に複数の内通気孔が設けられた内頂壁と、上に少なくとも１つの外通気孔が貫通形成された外頂壁と、を有し、しかも前記内頂壁と前記外頂壁との間に中間層空間が形成され、また、前記中間層空間内には通気性を有すると同時に空気中の雑質をろ過するためのフィルターが配置されていることを特徴とする、シロキクラゲ栽培瓶。
【請求項２】
前記瓶頚部の外周にねじ山部が設置され、かつ前記キャップ本体はねじ山の設置により前記ねじ山部の上にねじ締めされていることを特徴とする、請求項１に記載のシロキクラゲ栽培瓶。
【請求項３】
前記茸露出孔の孔径が３ｃｍ〜５ｃｍの範囲内であることを特徴とする、請求項２に記載のシロキクラゲ栽培瓶。
【請求項４】
前記茸露出孔の孔径が４．５ｃｍであることを特徴とする、請求項３に記載のシロキクラゲ栽培瓶。
【請求項５】
前記キャップ本体が前記茸露出孔に対応する壁厚が１ｃｍであることを特徴とする、請求項３に記載のシロキクラゲ栽培瓶。
【請求項６】
前記密封キャップが前記茸露出孔を塞ぐように設けられていることを特徴とする、請求項５に記載のシロキクラゲ栽培瓶。
【請求項７】
前記内通気孔が環状孔であることを特徴とする、請求項６に記載のシロキクラゲ栽培瓶。
【請求項８】
各前記内通気孔が環状に分布していることを特徴とする、請求項７に記載のシロキクラゲ栽培瓶。
【請求項９】
前記内通気孔の孔径が１ｃｍ〜２ｃｍの範囲内であり、かつ前記内通気孔の孔深さが１．５ｃｍ〜３ｃｍの範囲内であることを特徴とする、請求項８に記載のシロキクラゲ栽培瓶。
【請求項１０】
前記内通気孔の孔深さが２ｃｍであることを特徴とする、請求項９に記載のシロキクラゲ栽培瓶。
【請求項１１】
前記瓶本体が透明を呈するものであることを特徴とする、請求項１０に記載のシロキクラゲ栽培瓶。
【考案の詳細な説明】
【技術分野】
【０００１】
本考案は、菌種の人工栽培の分野に関するものであり、更に詳しくは、シロキクラゲ栽培瓶の構造に関するものである。
【背景技術】
【０００２】
一般的な食用椎茸類或いは茸類は、菌界に属する真菌類の生物である。通常では、子実体の成長を維持させるために、菌柄の底部に集まっている数多くの菌糸により栄養物質を吸収するようにしていた。しかしながら、従来技術に用いる人工栽培法は、ただ食用椎茸類或いは茸類を適切な温度及び湿度管理がなされた場所に移転するだけか、或いはより先進的な人工栽培法では、プラスチック製袋（コンテナーバッグ）内に消毒された培養基を詰め、揃えた袋の開口部をリングスリーブに入れて袋の外側に所定の位置と一致するように折り曲げ、リングスリーブの開口に空気流量を制限するためのコットンを満量充填すると同時に、培養基の含水量を維持することもできる。そして３０日〜４０日くらいの栽培期間が経過した後、コットンを除去する。しかしながら、綿の充填量を完全に人為的な操作に頼り切るから、正確に数量を制御することができず、菌種培養の品質が安定的に保持できない。
【先行技術文献】
【特許文献】
【０００３】
【特許文献１】台湾登録実用新案Ｍ３７５３７８号
【考案の概要】
【考案が解決しようとする課題】
【０００４】
台湾登録実用新案Ｍ３７５３７８号明細書（特許文献１）を参照し、特許文献１に開示されるように、バッグの開口部を揃えるようにリング状固定部材に入れてコンテナーバッグの外側に所定の位置と一致するように折り返す。その後、定位具の外部に中空定位座が嵌着されていると同時に、コンテナーバッグの開口部を挟んで、中空定位蓋を定位座の外部に嵌め合わせることにより、一枚の通気膜を定位座の頂部に押し付けている。しかし、通気膜は、子実体或いは菌傘の成長を阻害しており、しかも必ず定位蓋の閉合作用を解除してから、通気膜を定位座から離れて定位座の外部に定位蓋を被せて係止させるという必要な操作過程は煩雑である。また、このような椎茸類或いは茸類の菌糸の長さがより長いため、長さに相応しいコンテナーバッグが必要となり、手動操作方式でバッグ内に大量の培養基を詰める作業は、無駄なコストが発生し、市場の競争力を低下させる虞がある。
【０００５】
そこで、本考案は、従来技術において上記のような課題があることに鑑み、従来技術では達成困難だった技術的課題を克服してなされたものであって、新規性、進歩性及び産業上の利用可能性等の特許要件を有するシロキクラゲ栽培瓶を提供することを目的とするものである。
【課題を解決するための手段】
【０００６】
上記目的を達成するために、本考案の考案者は、上記課題に対して鋭意検討を重ねた結果、従来技術の欠点を改善することが図られて産業上の実施利用を促進するためのシロキクラゲ栽培瓶を創出した。
【０００７】
瓶本体と、キャップ本体と、密封キャップとを備える本考案のシロキクラゲ栽培瓶であって、該瓶本体は、内部に収容空間を包囲する瓶体であり、その上端に瓶頚部を有し、該瓶頚部の上端に瓶開口を有し、該キャップ本体は、該瓶頚部に対応して嵌合するようにし、かつ該キャップ本体の中央部には茸露出孔が設けられ、該密封キャップは、該茸露出孔に対応する外形を有すると共に、該茸露出孔を選択的に封孔し、かつ該密封キャップは、上に複数の内通気孔が設けられた内頂壁と、上に少なくとも１つの外通気孔が貫通形成された外頂壁と、を有し、しかも該内頂壁と該外頂壁との間に中間層空間が形成され、また、該中間層空間内には通気性を有すると同時に空気中の雑質をろ過するためのフィルターが配置されている。
【０００８】
なお、該瓶頚部の外周にねじ山部が設置され、かつ該キャップ本体はねじ山の設置により該ねじ山部の上にねじ締めされている。また、該茸露出孔の孔径が３ｃｍ〜５ｃｍの範囲内である。具体的に、該茸露出孔の孔径が４．５ｃｍであってもよい。また、該キャップ本体が該茸露出孔に対応する壁厚が１ｃｍである。また、該密封キャップが該茸露出孔を塞ぐように設けられている。該内通気孔が環状孔であり、各該内通気孔が環状に分布しており、該内通気孔の孔径が１ｃｍ〜２ｃｍの範囲内であり、かつ該内通気孔の孔深さが１．５ｃｍ〜３ｃｍの範囲内である。また、該瓶本体が透明を呈するものである。
【考案の効果】
【０００９】
設計上においては、構造の組合せを利用することによって構成した本考案のシロキクラゲ栽培瓶は、シロキクラゲ培養に適する栽培容器に形成される。そして本考案をより完全に理解するために、上記目的、技術的特徴、及び実際に実施した後に利益を増進することについては、添付の図面を参照しながら好ましい実施例で以下のように詳細に説明される。
【図面の簡単な説明】
【００１０】
【図１】本考案のシロキクラゲ栽培瓶の外観図である。
【図２】本考案のシロキクラゲ栽培瓶の外観分解図である。
【図３】本考案のシロキクラゲ栽培瓶を別の視野角から観察した外観分解図である。
【図４】本考案のシロキクラゲ栽培瓶の側面図である。
【考案を実施するための形態】
【００１１】
本考案をより完全に理解するために、本考案の技術的特徴、内容と利点、及び達成できる効能については、添付の図面を参照しながら実施例の表現形式で以下のように詳細に説明される。しかし、図示された図面は単に例示または明細書内容をサポートする目的としたものであって、本考案の実施後の原寸に比例したものや正確に配置したものに制限することではなく、添付された図面の比例と配置関係で解釈されてはならず、本考案を実際に実施する権利範囲に制限することを意図したものではない。また、図中、本実施形態の要素は必ずしも互いの縮尺を保って記載されるものではない。
【００１２】
図１〜図４を参照し、これらの図に示すように、本考案は、シロキクラゲ栽培瓶を提供し、このシロキクラゲ栽培瓶の好ましい実施態様においては、瓶本体（１０）と、キャップ本体（２０）と、密封キャップ（３０）とを備えるように構成される。
【００１３】
上記瓶本体（１０）は、内部に収容空間を包囲する透明な瓶体であり、その上端に瓶頚部（１１）を有し、該瓶頚部（１１）の上端に瓶の内部空間と外部とを連通させる瓶開口（１２）を有し、また、該瓶頚部（１１）の外周には、ねじ山部（１３）が設置されている。
【００１４】
上記キャップ本体（２０）は、該瓶頚部（１１）に対応して嵌合するようにしてもよいし、または、ねじ山の設置により該ねじ山部（１３）の上にねじ締めされてもよい。これにより、該瓶開口（１２）に対応して覆うようにすることができる。また、該キャップ本体（２０）の中央部には茸露出孔（２１）が設けられ、該茸露出孔（２１）の孔径が３ｃｍ〜５ｃｍの範囲内であってよく、具体的な好ましい実施態様においては４．５ｃｍである。また、該キャップ本体（２０）が該茸露出孔（２１）に対応する壁厚が１ｃｍであってもよい。
【００１５】
上記密封キャップ（３０）は、該茸露出孔（２１）に対応する外形を有すると共に、該茸露出孔（２１）を選択的に封孔し、かつ該密封キャップ（３０）は、該茸露出孔（２１）を塞ぐように設けられることができる。また、該密封キャップ（３０）は、内頂壁（３１）と、外頂壁（３２）と、を有し、しかも該内頂壁（３１）と該外頂壁（３２）との間には中間層空間が形成されており、該内頂壁（３１）の上には、複数の内通気孔（３１１）が設けられ、該内通気孔（３１１）が環状孔であってもよく、かつ各該内通気孔（３１１）が環状に分布しており、しかも該内通気孔（３１１）の孔径が１ｃｍ〜２ｃｍの範囲内であってもよい。または、該内通気孔（３１１）の孔深さが１．５ｃｍ〜３ｃｍの範囲内であってもよく、好ましいのは、２ｃｍである。また、該外頂壁（３２）の上には、少なくとも１つの外通気孔（３２１）が貫通形成されることによって、該収容空間の通気性が確保できる。さらに、該中間層空間内には、通気性を有すると同時に空気中の粉塵のような有害な雑質或いは病原菌をろ過できるフィルター（３３）が配置されている。
【００１６】
使用に際しては、自動化設備により、必要な培養基を瓶の内部に満量充填した後、キャップ本体（２０）を用いて押圧密着して、培養基に予め浅い凹穴を設け、それから、凹穴にいくつかの菌種を入れる。その後、密封キャップ（３０）を固定することができることによって、茸露出孔（２１）に流れ込むのは、フィルター（３３）を経由した外部空気に限る。そのため、病原菌或いは雑質をろ過することができ、菌種の生長率を向上させる。最後に、菌糸から培養基の栄養物質を吸収するので、子実体が徐々に生長させて肥大になって茸露出孔（２１）から伸び出す。この場合、子実体の成長阻害を避けるために密封キャップ（３０）を取り外し、子実体を一定の期間培養した後に、茸露出孔（２１）の周辺から子実体を収穫でき、しかも短い菌糸と一緒に培養基から離れるように抜き取ることができる。
【産業上の利用可能性】
【００１７】
本考案のシロキクラゲ栽培瓶の設計上の創意工夫によれば、構造の組合せを利用することによってシロキクラゲ培養・植栽に適する栽培容器が構成されたことは、従来技術では到達できない技術であり、利益を増進できることは明らかである。
【符号の説明】
【００１８】
１０・・・瓶本体
１１・・・瓶頚部
１２・・・瓶開口
１３・・・ねじ山部
２０・・・キャップ本体
２１・・・茸露出孔
３０・・・密封キャップ
３１・・・内頂壁
３１１・・・内通気孔
３２・・・外頂壁
３２１・・・外通気孔
３３・・・フィルター
【図１】
0003177619.tif 000003
【図２】
0003177619.tif 000004
【図３】
0003177619.tif 000005
【図４】
0003177619.tif 000006